(57)【要約】  コラプシブル・シェルターが提示される。コラプシブル・シェルターは、ブラケットを含む。ブラケットは、コラプシブル・シェルターを支持するためのポールの端部を受け入れるための、ソケットを含む。ブラケットはまた、締結具を受け入れるためのハンドルも含む。コラプシブル・シェルターはまた、コラプシブル・シェルターを支持するための複数の脚部も含む。ブラケットは、複数の脚部のうちの１つに連結される。
2020514601.tif 000002
【特許請求の範囲】
【請求項１】
コラプシブル・シェルターであって、
ブラケットであって、
前記コラプシブル・シェルターを支持するためのポールの端部を受け入れるための、ソケット、及び
締結具を受け入れるためのハンドルを備える、ブラケットと、
前記コラプシブル・シェルターを支持するための複数の脚部と、を備える、コラプシブル・シェルター。
【請求項２】
前記ブラケットは前記複数の脚部のうちの１つの脚部に連結される、請求項１に記載のコラプシブル・シェルター。
【請求項３】
前記ポールは周縁トラスのリンク部材である、請求項２に記載のコラプシブル・シェルター。
【請求項４】
前記ポールは、天蓋を支持するように構成された入れ子式に伸縮する頂部梁材である、請求項１に記載のコラプシブル・シェルター。
【請求項５】
前記ポールは前記ソケットに枢動式に接続される、請求項１に記載のコラプシブル・シェルター。
【請求項６】
前記ハンドルは前記ソケットに連結される、請求項１に記載のコラプシブル・シェルター。
【請求項７】
前記締結具は側壁又はサイド・スカートに連結される、請求項１に記載のコラプシブル・シェルター。
【請求項８】
前記ブラケットは複数のソケットを備える、請求項１に記載のコラプシブル・シェルター。
【請求項９】
コラプシブル・シェルターであって、
前記コラプシブル・シェルターを支持するための複数の脚部と、
各々が前記複数の脚部のうちの１つの脚部に連結される、複数の脚部ブラケットであって、
第１の複数のソケット、及び
締結具を受け入れるように構成された第１の複数のハンドルを備える、複数の脚部ブラケットと、
中央ブラケットであって、
第２の複数のソケット、及び
締結具を受け入れるように構成された第２の複数のハンドルを備える、中央ブラケットと、を備える、コラプシブル・シェルター。
【請求項１０】
周縁トラスのリンク部材の端部は、前記第１の複数のソケットのうちの１つのソケットに枢動式に接続される、請求項９に記載のコラプシブル・シェルター。
【請求項１１】
外側トラスのリンク部材の端部は、前記第１の複数のソケットのうちの１つのソケットに枢動式に接続され、内側トラスのリンク部材の端部は、前記第２の複数のソケットのうちの１つのソケットに枢動式に接続される、請求項９に記載のコラプシブル・シェルター。
【請求項１２】
前記第１の複数のハンドルのうちの１つのハンドルは、側壁に連結された第１の締結具を受け入れる、請求項９に記載のコラプシブル・シェルター。
【請求項１３】
前記中央ブラケットは、屋根構造を支持するための頂部梁材と連結するための中央ソケットを更に備える、請求項９に記載のコラプシブル・シェルター。
【請求項１４】
前記第２の複数のハンドルのうちの１つのハンドルは、セイル（ｓａｉｌ）又はフラッグと連結された第２の締結具を受け入れる、請求項９に記載のコラプシブル・シェルター。
【請求項１５】
前記第１の複数のハンドルの各ハンドルは、前記第１の複数のソケットのうちの１つのソケットに取り付けられる、請求項９に記載のコラプシブル・シェルター。
【請求項１６】
前記第１の複数のソケットは２つのソケットを備える、請求項９に記載のコラプシブル・シェルター。
【請求項１７】
前記第１の複数のソケットのうちの１つのソケットは、前記第１の複数のソケットのうちの隣接するソケットに対して実質的に垂直である、請求項９に記載のコラプシブル・シェルター。
【請求項１８】
前記第２の複数のハンドルの各ハンドルは、前記第２の複数のソケットのうちの１つのソケットに取り付けられる、請求項９に記載のコラプシブル・シェルター。
【請求項１９】
前記第２の複数のソケットは４つのソケットを備える、請求項９に記載のコラプシブル・シェルター。
【請求項２０】
前記第２の複数のソケットのうちの１つのソケットは、前記第２の複数のソケットのうちの隣接するソケットに対して実質的に垂直である、請求項９に記載のコラプシブル・シェルター。
【発明の詳細な説明】
【技術分野】
【０００１】
関連出願の相互参照
本出願は、２０１７年１０月３０日に出願された「ｍｅｔｈｏｄ  ａｎｄ  ａｐｐａｒａｔｕｓ  ｆｏｒ  ｄｉｓｐｌａｙｉｎｇ  ｉｎｆｏｒｍａｔｉｏｎ  ｗｉｔｈｉｎ  ａｎ  ｉｎｎｅｒ  ｓｉｄｅ  ｏｆ  ａ  ｃａｎｏｐｙ」と題する米国仮特許出願第６２／５７９，０５２号、及び、２０１７年２月１日に出願された「ＭＵＬＴＩ−Ｐｏｉｎｔ  ｆｉｘｅｄ  ａｔｔａｃｈｍｅｎｔ  Ｓｙｓｔｅｍ」と題する米国仮特許出願第６２／４５３，４７８号の利益を主張し、これらの開示はその全体が参照によって本明細書に明示的に組み込まれる。
【０００２】
本開示のある態様は、一般に折り畳み式の（ｆｏｌｄｉｎｇ）コラプシブル（ｃｏｌｌａｐｓｉｂｌｅ）構造に関し、より具体的には、側壁及び他の要素の接続を改善するための複数箇所固定式取り付けシステムを有する、コラプシブル・シェルター構造に関する。
【背景技術】
【０００３】
搬送及び組み立ての容易さから、仮設シェルターの利用が増加している。例えば、仮設シェルターは多くの場合、非常事態の現場で一時的なケアや住居を提供するために使用される。かかるシェルターはまた、一時駐屯地、校外学習、テールゲート・パーティー、農産物直売所、及び展示会など、非常事態以外の屋外での集まりにとっても有用で有り得る。１つのこのような短時間で立設可能でコラプシブルなシェルターであって、Ｘ形状のリンク機構の枠組と、入れ子式に伸縮する脚部と、枠組を覆う天蓋と、を有するものが、米国特許第４，６０７，６５６号に記載されている。このシェルターの脚部は、その押し込まれた長さの約２倍まで入れ子式に延長することができ、Ｘ形状のトラス対の枠組は、天蓋を支持するように脚部間で水平方向に延長可能である。この枠組は軽量の材料で構築することができ、入れ子式に伸縮する脚部は、延長されてシェルターの枠組を持ち上げることができる。
【０００４】
場合によっては、側壁及び／又は内壁などの壁を、シェルターのフレームに取り付けることができる。従来のシステムは、メニュー、広告等のような情報を提供するための壁及びバナーをフレームに接続するために、Ｖｅｌｃｒｏ（商標）ストラップなどのストラップ又はロープを使用する。従来のシステムで使用されるストラップは堅牢ではない。更に、従来のシステムでは、壁の垂れ下がりが生じる場合がある。
【０００５】
シェルターのフレームへの壁の接続を改善するための複数箇所固定式取り付けシステムを有する、改善されたコラプシブル・シェルターを提供することが望ましい。
【先行技術文献】
【特許文献】
【０００６】
【特許文献１】米国特許第４，６０７，６５６号
【発明の概要】
【課題を解決するための手段】
【０００７】
本開示の１つの態様では、コラプシブル・シェルターが開示されている。コラプシブル・シェルターは、ブラケットを含む。ブラケットは、コラプシブル・シェルターを支持するためのポールの端部を受け入れるための、ソケットを含む。ブラケットはまた、締結具を受け入れるためのハンドルも含む。コラプシブル・シェルターはまた、コラプシブル・シェルターを支持するための複数の脚部も含む。
【０００８】
本開示の別の態様では、コラプシブル・シェルターが開示されている。コラプシブル・シェルターは、コラプシブル・シェルターを支持するための複数の脚部を含む。コラプシブル・シェルターはまた、複数の脚部ブラケットも含む。各脚部ブラケットは、複数の脚部のうちの１つの脚部に連結される。各脚部ブラケットは、複数のソケットと複数のハンドルとを含む。各ハンドルは締結具を受け入れることができる。コラプシブル・シェルターは更に、中央ブラケットを含む。中央ブラケットは、複数のソケットと複数のハンドルとを含む。各ハンドルは締結具を受け入れることができる。
【０００９】
ここまでは、続く詳細な説明がより良く理解できるように、本開示の特徴及び技術的利点をかなり大まかに概説した。本開示の更なる特徴及び利点が以下に記載される。本開示の同じ目的を実行するために構造を修正する又は他の構造を設計するための基礎として、本開示を容易に利用できることが、当業者には諒解されるべきである。そのような等価な構造が、付属の特許請求の範囲に提示されているような本開示の教示から逸脱しないこともまた、当業者には理解されるべきである。これらの新規な特徴は、その構造及び作動の方法の両方に関して本開示に特有のものと考えられ、以下の説明を添付の図と関連させて検討すれば、更なる目的及び利点と併せてより良く理解されるであろう。ただし、各々の図は単に例示及び説明の目的で提供されており、本開示の限界を定めるものとしては意図されていないことが、明確に理解されるべきである。
【００１０】
本開示の特徴、性質、及び利点は、図面と併せて解釈するとき、以下に提示した詳細な説明からより明らかになるであろう。図面においては、同様の参照符号は全体を通して対応しているものと認識される。
【図面の簡単な説明】
【００１１】
【図１Ａ】フレームに取り付けられた様々な構造を有するシェルターの実例の図である。
【図１Ｂ】フレームに取り付けられた様々な構造を有するシェルターの実例の図である。
【図２】本開示の態様に係る複数箇所固定式取り付けシステムの要素の実例を示す図である。
【図３】本開示の態様に係る複数箇所固定式取り付けシステム用のコネクタの実例を示す図である。
【図４Ａ】本開示の態様に係る複数箇所固定式取り付けシステムの要素の実例を示す図である。
【図４Ｂ】本開示の態様に係る複数箇所固定式取り付けシステムの要素の実例を示す図である。
【図５Ａ】本開示の態様に係るコラプシブル・フレームの実例を示す図である。
【図５Ｂ】本開示の態様に係るコラプシブル・フレームの実例を示す図である。
【図６Ａ】本開示の態様に係るコラプシブル・フレームの実例を示す図である。
【図６Ｂ】本開示の態様に係るコラプシブル・フレームの実例を示す図である。
【図７】本開示の態様に係るコラプシブル・フレームの実例を示す図である。
【図８】本開示の態様に係る側壁の実例を示す図である。
【発明を実施するための形態】
【００１２】
以下に提示する詳細な説明は、付属の図面と関連して、様々な構成の説明として意図されており、本明細書に記載する概念が実施され得る唯一の構成を表すことは意図されていない。この詳細な説明は、様々な概念の完全な理解をもたらすことを目的とした、具体的な詳細を含む。しかしながら、これらの概念は、これらの具体的な詳細が無くても実施し得ることが、当業者には明らかであろう。いくつかの場合には、周知の構造及び構成要素が、そのような概念が曖昧になるのを避けるために、ブロック図の形態で示される。
【００１３】
これらの教示に基づいて、当業者は、本開示の任意の他の態様とは独立して実装されるかそれともそれらと組み合わされて実装されるかに関わらず、本開示の範囲が、本開示のあらゆる態様を包含するように意図されていることを諒解すべきである。例えば、提示される任意の数の態様を使用して、装置が実装されてもよく、又は方法が実行されてもよい。更に、本開示の範囲は、提示する本開示の様々な態様に加えて又はそれ以外に、他の構造、機能、又は構造及び機能を使用して実施されるような装置又は方法を包含するように意図されている。開示される開示の任意の態様が、ある請求項の１つ又は複数の要素によって具現化され得ることが、理解されるべきである。
【００１４】
「例示的な」という単語は、本明細書では、「実例、事例、又は例示として機能する」という意味で使用される。本明細書で「例示的で」あるとして記載されるいかなる態様も、必ずしも他の態様に比べて好ましい又は有利であると解釈されるべきではない。
【００１５】
本明細書には特定の態様が記載されているが、これらの態様の多くの変形及び組み換えが、本開示の範囲内にある。好ましい態様のいくつかの利益及び利点が述べられるが、本開示の範囲は、特定の利益、使用、又は目的に限定されることを意図していない。むしろ、本開示の態様は、様々な技術、システム構成、ネットワーク、及びプロトコルに広く適用可能となることを意図しており、これらの一部が、図において及び以下の好ましい態様の説明において、実例として示されている。詳細な説明及び図面は、付属の特許請求の範囲及びその等価物によって規定される本開示の範囲を限定するものではなく、単に本開示を例示するものであるに過ぎない。
【００１６】
折り畳み可能な（例えば、コラプシブルな）シェルターを、様々なシナリオで使用することができる。例えば、折り畳み可能なシェルターを、展示ブース、風雨からの避難所、展示場所（ｅｘｈｉｂｉｔ）、店舗、等として使用することができる。折り畳み可能なシェルターをシェルターと呼ぶ場合がある。シェルターは３つ以上の面を含み得る。これらの面は異なるサイズ（例えば長さ）のものであってもよく、又は同じサイズのものであってもよい。
【００１７】
複数の外側トラス・リンクが、シェルターの境界を形成し得る。２つの外側トラス・リンクが、外側トラス・リンク対を形成し得る。各外側トラス・リンク対の外側トラス・リンクは、例えばはさみの構成で、ジョイントにおいて互いに枢動式に接続することができる。各面は、１つ又は複数の外側トラス・リンク対を含んでもよい。各外側トラス・リンク対に、１つ又は複数の脚部を取り付けることができる。脚部及び外側トラス・リンク対は、屋根構造を支持することができる。屋根構造は、頂部トラス・リンク及び／又は内側トラス・リンクによって更に支持することができる。
【００１８】
バナー、側壁、及び他の構造を、シェルターのフレームに取り付けることができる。従来のシェルターでは、様々な構造がフレームに結び付けられる。例えば、サイド・スカートは、紐、ロープ、Ｖｅｌｃｒｏ（商標）ストラップ、又は他の締結構造を介して結び付けることができる。従来の締結具は、構造を強固に且つ緊張させて維持することはない。例えば、従来のシェルターでは、側壁又はサイド・スカートは、風の強い地域ではシェルターから垂れ下がる可能性が、又は脱離する可能性がある。
【００１９】
図１Ａは、脚部１０４に側壁１０１及びスカート１０６が取り付けられた、従来のシェルター１００の実例を示す。側壁１０１及びサイド・スカート１０６は、ポリエステル布帛などの布帛材料で形成されてもよい。既に検討したように、従来のシステムでは、側壁１０１及びサイド・スカート１０６は、ストラップに取り付けられた締結具などの接続部を介して、脚部１０４又は周縁トラスに直接取り付けることができる。これらの接続は強固でもなければ緊張させられてもいない。したがって、側壁１０１及びサイド・スカート１０６は、脚部１０４からの垂れ下がり又は脱離を起こしやすい。加えて、又は別法として、脚部及び／又はフレームには、バナー、フラッグ、及び／又は他のタイプの被覆物（ｄｒｅｓｓｉｎｇ）を装着することができる。実例として、脚部１０４に半分の壁１１０を装着することができる。図１Ｂは、脚部１５４にフラッグ１８０及びバナー１９０が装着されたブース構造１５０である、別の実例を示す。
【００２０】
図１Ａ及び１Ｂに示すように、側壁１０１、サイド・スカート１０６、フラッグ１８０、及びバナー１９０は、シェルター１００の外部から見えている。側壁１０１、サイド・スカート１０６、フラッグ１８０、及びバナー１９０は、両面に情報がプリントされていてもよい。更に、シェルターのドーム（例えば天井）の内部に、使用されていない空間がある。更に、シェルターのドームの内部のこの空間は情報（例えば広告）を提供するために使用することもできる。従来の締結システムは、シェルターの内部にフラッグ及びバナーなどの構造を取り付けるためのシステムを提供することはない。
【００２１】
顧客がシェルターに様々な構造を取り付けることのできる程度を改善するためのシステムを提供することが望ましい。本開示の態様は、フラッグ、バナー、サイド・スカート、テント、等のような構造をシェルターのフレームに強固に締結するための複数の箇所をシェルターに提供する、複数箇所取り付けシステムを対象としている。本開示の態様によれば、複数箇所取り付けシステムは、フレームの内部及び／又は外部に様々な構造を取り付けるための解決法を顧客に提供する。
【００２２】
１つの構成では、複数箇所取り付けシステムは、シェルターの中央部並びにシェルターの隅角で、取り付け箇所を提供する。当然ながら、顧客の要望に基づく様々な構成が企図されるので、本開示の態様は、中央部及び全ての隅角で取り付け箇所を提供することに限定されない。
【００２３】
シェルターによっては、入れ子式に伸縮する頂部梁材を用いて上昇される屋根構造を有する場合がある。頂部梁材は、複数のソケットを用いてブラケット（例えば中央ブラケット）に接続することができる。ソケットは、頂部梁材の一方の端部並びにトラス・リンクの複数の端部を受け入れることができる。１つの構成では、中央ブラケットに１つ又は複数の取り付け箇所が設けられる。
【００２４】
図２は、本開示の態様に係る中央ブラケット２００の実例を示す。図２に示すように、頂部梁材２２０の端部が、中央ブラケット２００の中央ソケット２０２に連結される。頂部梁材２２０の端部は、ボルト２２２又は他のタイプの締結具を介して、中央ソケット２０２に固止することができる。中央ソケット２０２は、頂部梁材２２０の端部を受け入れるような、正方形形状のソケットであってもよい。当然ながら、中央ソケット２０２は、頂部梁材２２０の形状に基づいて、円又は他の平行四辺形などの、他の形状を有してもよい。
【００２５】
更に、中央ブラケット２００は、中央ブラケット２００の本体から延在する複数の側部ソケット２０６を含む。１つの構成では、各ソケットは、隣接するソケット２０６から実質的に直角となっている。図２は、４つのソケット２０６を有する中央ブラケット２００を示す。より多い又は少ないソケット２０６が企図されるので、本開示の態様は、４つのソケット２０６を有する中央ブラケット２００に限定されない。
【００２６】
各ソケット２０６は、ボルト２２２又は他のタイプの締結具を介して、トラス・リンク２０４に連結される。トラス・リンク２０４は、対応するソケット２０６内で枢動することができる。１つの構成では、ソケット２０６に連結されたときにトラス・リンク２０４が枢動出来るように、ソケット２０６は３つの面を含む（例えば、２つのアーム２１６及び基部２１８）。更に、図２に示すように、各ソケット２０６にはハンドル２０８が取り付けられる。１つの構成では、ハンドル２０８はＵ形状であり、基部２１８の外面に取り付けられる。基部２１８の内面とは、トラス・リンク２０４に隣接している面を指す。本開示の態様はｕ形状を有するハンドル２０８に限定されず、締結具２１０、又は他の器具をハンドルに取り付け可能にする他の設計が企図される。本開示の態様は、基部２１８の外面に取り付けられているハンドル２０８に限定されず、中央ブラケット２００の他の部分に取り付けられているハンドル２０８が企図される。
【００２７】
図２に示すように、締結具２１０はハンドル２０８に取り付けられる。実例として、締結具２１０は、フック、留め金、クリップ、又はソケット２０６のハンドル２０８と連結される他のタイプの構造であってもよい。締結具２１０の開口部２１４は、壁、側壁、スカート、フラッグ、及び／又はバナーなどの被覆物から、コネクタを受け入れることができる。すなわち、開口部２１４は、壁、側壁、スカート、フラッグ、及び／又はバナーなどの被覆物に接続された、ストラップ又は材料を受け入れるような仕様となっている。
【００２８】
図３は、本開示の態様に係る締結具３００の実例を示す。１つの構成では、締結具３００は、被覆物又は構造をブラケットのハンドルなどの取り付け箇所に取り付けるために提供される。図３に示すように、締結具３００は、締結具３００の頂点で湾曲しているフック部分３０２を含む。締結具３００の一部分がフック部分３０２の鼻部において外向きに延びて、締結具３００のｖ形状の端部３０４を形成している。既に検討したように、締結具３００は、ブラケットのハンドルに留められるように適合される。ｖ形状の端部３０４は、複数箇所取り付けシステムの、ハンドルに対する締結具３００の保持（例えば取り付け）を改善する。
【００２９】
更に、図３に示すように、１つの構成では、締結具３００の開口部３０８を通して、ストラップ３０６が延ばされる。開口部３０８は、締結具３００の矩形形状の端部３１０に画定され得る。当然ながら、他の形状が企図されるので、本開示の態様は、矩形形状の端部３１０を有する締結具３００に限定されない。ストラップ３０６は、側壁又はスカートなどの被覆物の材料に縫着（例えば接続）することができる。本開示の態様はまた、ストラップ３０６が、テント、フラッグ、天蓋の屋根に沿って延在する内側の壁などの他の構造、又は、任意の他のタイプの被覆物（例えば、構造／布帛／材料）の、材料に接続されることも企図している。１つの構成では、ストラップ３０６の長さは調節可能である。
【００３０】
既に検討したように、中央ブラケットは、複数箇所取り付けセンター用の取り付け箇所（例えば、ハンドル）を含んでもよい。１つの構成では、取り付け箇所は、シェルターの脚部ブラケット上に画定される。脚部ブラケット上の取り付け箇所は、中央ブラケットの取り付け箇所の代わりに又はそれらに加えて、設けることができる。図４Ａ及び４Ｂは、本開示の態様に係る脚部ブラケット４００の視点の異なる図の実例を示す。図４Ａは、脚部ブラケット４００の第１の視点（例えば正面視）の図を示し、図４Ｂは、脚部ブラケット４００の第２の視点（例えば背面視）の図を示す。第２の視点は第１の視点と反対である。図４Ａ及び４Ｂに示すように、脚部ブラケット４００は、コラプシブル・フレームの脚部４０２に接続される。すなわち、脚部ブラケット４００のソケット４２０は、脚部４０２の端部を受け入れる。脚部４０２は、ボルト又は他の取り付け具（図示せず）を介してソケット４２０に取り付けることができる。
【００３１】
脚部ブラケット４００は、脚部ブラケット４００の本体４１２から外向きに延在する、複数のソケット４０４を含む。各ソケット４０４は、隣接するソケット４０４から実質的に直角となっていてよい。本開示の態様は、図４Ａ及び４Ｂ；に示すような２つのソケット４０４に限定されない。脚部ブラケット４００は、１つ又は複数のソケット４０４を有してもよい。例えば、１つの構成では、脚部ブラケット４００は、脚部ブラケット４００の本体４１２から外向きに延在する、ただ１つのソケット４０４を含む。
【００３２】
リンク部材４０８の端部は、脚部ブラケット４００の各ソケット４０４内に受け入れられる。リンク部材４０８の端部は、ソケット４０４に枢動式に接続することができる。具体的には、リンク部材４０８の端部は、ボルト４１４又は他の取り付け具を介して、ソケットに取り付けることができる。脚部ブラケット４００のソケット４０４は、２つのアーム４１６を含む。脚部ブラケット４００の各ソケット４０４に関して屋根及び床は画定されないので、リンク部材４０８は、上又は下方向に枢動することができる。
【００３３】
１つの構成では、ハンドル４１０（例えば取り付け箇所）は、各ソケット４０４の下方に画定される。ハンドル４１０の第１の端部は、ソケット４０４の一方のアーム４１６の底部に取り付けることができ、ハンドル４１０の第２の端部は、脚部ブラケット４００の本体４１２に取り付けることができる。各ハンドル４１０は、締結具４１４を受け入れるように適合可能であり得る。既に検討したように、締結具４１４は、ストラップ又は他のタイプのコネクタを介して、構造の材料に接続されるように適合される。脚部ブラケット４００はリンク部材を受け入れることに限定されず、入れ子式に伸縮するポール部材又はシェルターのフレームの他の構造を受け入れてもよい。
【００３４】
図５Ａは、本開示の態様に係るシェルター５００のフレームの実例を示す。シェルター５００は、展示ブースなどの、モジュール式の折り畳み式シェルターであってもよい。図５Ａに示すように、フレームは４つの面５０４と４つの隅角とを有する。各面５０４は、１つ又は複数の隣接する面５０４に対して実質的に垂直であり得る。当然ながら、他の構成、例えば３つの面及び３つの隅角もまた企図されるので、本開示の態様は、４つの面と４つの隅角とを有するフレームに限定されない。更に、隣接する面５０４は、９０度よりも大きい又は小さい角度で接続され得る。フレームはコラプシブルであり得る。別の構成では、フレームは固定される。
【００３５】
１つの構成では、フレームを立設するために、隅角毎に脚部５０８が設けられる。脚部５０８は、入れ子式に伸縮する（例えば、延長可能とする）ことができる。すなわち、各脚部５０８は、中空の上側区域５２２から延在する、入れ子式に伸縮する下側区域５２０を備えてもよい。入れ子式に伸縮する下側区域５２０は、入れ子式に伸縮する上側区域５２２内に摺動可能に配設することができる。各入れ子式に伸縮する下側区域５２０は、地面と係合するための足部５４０を有する。更に、周縁トラス枠組５５０は、フレームを安定させ支持するために、ブラケット５２４、５２６を介して脚部５０８に接続される。
【００３６】
周縁トラスフレーム５５０は、複数の外側トラス・リンク５５２と複数の内側トラス・リンク５５４とを含んでもよい。２つの外側トラス・リンク５５２が、外側トラス・リンク対を形成し得る。各外側トラス・リンク対の外側トラス・リンク５５２は、例えばはさみの構成で、クロス・リンク・ジョイント５３６において互いに枢動式に接続することができる。１つの構成では、各外側トラス・リンク５５２の第１の端部は、脚部ブラケット５２４又は摺動ブラケット５２６のいずれかを介して、脚部５０８に枢動式に接続される。すなわち、各外側トラス・リンク対の一方の外側トラス・リンク５５２の第１の端部は、脚部ブラケット５２４のソケットに枢動式に接続することができる。脚部ブラケット５２４の各ソケットは、締結具を受け入れるための取り付け箇所（例えばハンドル）を含んでもよい（図４Ａ〜Ｂを参照）。各外側トラス・リンク対のもう１つの外側トラス・リンク５５２の第１の端部は、摺動ブラケット５２６のソケットに枢動式に接続することができ、この結果、外側トラス・リンク対の一方の外側トラス・リンク５５２は、対応する脚部５０８に摺動可能に接続される。各外側トラス・リンク５５２の第２の端部は、外側ジョイント５３０において、もう１つの外側トラス・リンク５５２の第２の端部に接続することができる。外側ジョイント５３０は三方向ジョイントであってもよい。
【００３７】
図５Ａに示すように、２つの内側トラス・リンク５５４は、クロス・リンク・ジョイント５３６において枢動式に接続されて、内側トラス・リンク対を形成する。２つの内側トラス・リンク５５４は、例えばはさみの構成で、枢動式に接続することができる。１つの構成では、第１の内側トラス・リンク５５４の第１の端部は、外側ジョイント５３０において２つの外側トラス・リンク５５２の第２の端部に枢動式に接続される。各内側トラス・リンク対の第１の内側トラス・リンク５５４の第２の端部は、頂部スライダ５１８に枢動式に接続される。更に、各内側トラス・リンク対の第２の内側トラス・リンク５５４の第１の端部は、外側ジョイント５３０において２つの外側トラス・リンク５５２の第２の端部に枢動式に接続される。各内側トラス・リンク対の第２の内側トラス・リンク５５４の第２の端部は、中央ブラケット５２８のソケットに枢動式に接続される。中央ブラケット５２８の各ソケットは、締結具を受け入れるための取り付け箇所（例えばハンドル）を含んでもよい（図２を参照）。
【００３８】
シェルター５００は、天蓋などの屋根構造（図示せず）を支持するための、頂部梁材５３２を含んでもよい。頂部梁材５３２は、中央ブラケット５２８に取り付けることができる。頂部スライダ５１８もまた、頂部梁材５３２に摺動可能に取り付けられる。１つの構成では、頂部ポール５３４は、頂部梁材５３２から入れ子式に伸縮する（例えば、延長可能である）。すなわち、頂部梁材５３２は、頂部ポール５３４が頂部梁材５３２から上向きに延長できるように、中空であり得る。頂部ポール５３４は、頂部梁材５３２内に摺動可能に配設することができる。更に、頂部ポール５３４は、天蓋などの屋根構造に係合するための頂点ブラケット５３８を含んでもよい。
【００３９】
頂点ブラケット５３８はまた、取り付け箇所も含み得る。１つの構成では、頂点ブラケット５３８の取り付け箇所、及び１つ又は複数の脚部ブラケット５２４上の取り付け箇所に、セイル・バナー（ｓａｉｌ  ｂａｎｎｅｒ）を取り付けることができる。加えて、又は別法として、セイル・バナーは、シェルターの他の構成要素に取り付けることができる。セイル・バナーを使用して、シェルター５００の内部に情報を表示することができる。１つの構成では、シェルター５００上に屋根材料を設置してもよい。この構成では、屋根構造はセイル・バナーを覆うように設置され、この結果、シェルター５００の外部からはこの屋根構造だけが見え、一方、シェルター５００の内部からは屋根構造及びセイル・バナーの両方が見えるようになっている。
【００４０】
図５Ａは、本開示の態様に係る摺動ブラケット５２６の実例を示す。図５Ａに示すように、摺動ブラケット５２６の開口部を脚部５０８が通過する。摺動ブラケット５２６を脚部５０８の開口部と係合させて、摺動ブラケット５２６を所望の位置に維持するために、ピン５５２が使用される。摺動ブラケット５２６は、外側トラス・リンク５５２などのトラス・リンクの端部に係合するための、１つ又は複数のソケット５４２を含む。トラス・リンクは、ソケット５４２内で枢動することができる。１つの構成では、摺動ブラケット５２６は、複数箇所取り付けシステムの１つ又は複数の取り付け箇所を含む。
【００４１】
本開示の態様は、面あたり２つの外側トラス・リンク対に限定されない。外側トラス・リンク対の数、面あたり２つよりも少なくても多くてもよい。例えば、図５Ｂに示すように、シェルター５６６の第１の側５６０は、３つの外側トラス・リンク対５６４を含んでもよく、第２の面５６２は、２つの外側トラス・リンク対５６４を含んでもよい。この実例では、シェルター５６６は、複数の頂部梁材５６８を含んでもよい。シェルター５６６のフレームの他の部分は、図５Ａのシェルター５００のフレームに類似している。簡潔にするために、図５Ａのシェルター５００の要素と同じである図５Ｂのシェルター５６６の要素については、詳細に検討しない。
【００４２】
複数箇所取り付けシステム用に他のタイプのシェルターを使用できるので、本開示の態様は、図５Ａ及び５Ｂのシェルターに限定されない。図６Ａは、本開示の態様に係る、尖頭形状の屋根を有するシェルター６００用のフレームの実例を示す。シェルター６００は、展示ブースなどの、モジュール式の折り畳み式シェルターであってもよい。図６Ａに示すように、シェルター６００は４つの面６０４と４つの隅角とを有する。各面６０４は、１つ又は複数の隣接する面６０４に対して実質的に垂直であり得る。当然ながら、他の構成もまた企図されるので、本開示の態様は、４つの面と４つの隅角とを有するシェルター６００に限定されない。シェルター６００はコラプシブルであり得る。
【００４３】
１つの構成では、シェルター６００を立設するために、隅角毎に脚部６０８が設けられる。脚部６０８は、入れ子式に伸縮する（例えば、延長可能とする）ことができる。すなわち、各脚部６０８は、中空の上側区域６２２から延在する、入れ子式に伸縮する下側区域６２４を備えてもよい。入れ子式に伸縮する下側区域６２４は、入れ子式に伸縮する上側区域６２２内に摺動可能に配設することができる。入れ子式に伸縮する下側区域６２４を中空の上側区域６２２から延ばすために、引っ張りピンを有するスライダなどの、スライダ６２８を使用することができる。各入れ子式に伸縮する下側区域６２４は、地面と係合するための足部６４０を有する。更に、脚部６０８には、安定性及び支持のために、周縁トラス枠組６１６が接続される。
【００４４】
周縁トラスフレーム６１６は、複数の外側トラス・リンク６１２を含んでもよい。枢動式に接続された２つの外側トラス・リンク６１２は、外側トラス・リンク対を形成し得る。各外側トラス・リンク対の外側トラス・リンク６１２は、例えばはさみの構成で、クロス・リンク・ジョイント６３６において互いに枢動式に接続することができる。１つの構成では、各外側トラス・リンク６１２の第１の端部は、摺動ブラケット６６４又は脚部ブラケット６６８のいずれかを介して、脚部６０８に枢動式に接続される。具体的には、各外側トラス・リンク対の一方の外側トラス・リンク６１２の第１の端部は、摺動ブラケット６６４のソケットに枢動式に接続することができる。各外側トラス・リンク対のもう１つの外側トラス・リンク６１２の第１の端部は、脚部ブラケット６６８のソケットに枢動式に接続することができ、この結果、各外側トラス・リンク６１２は、対応する脚部６０８に枢動式に接続される。脚部ブラケット６６８及び／又は摺動ブラケット６６４は、１つ又は複数の取り付け箇所を含んでもよい（図４Ａ〜Ｂを参照）。各外側トラス・リンク６１２の第２の端部は、外側ジョイント６３０において、もう１つの外側トラス・リンク６１２の第２の端部に接続することができる。
【００４５】
図６Ａに示すように、フレームは、複数の上側頂部トラス・リンク６１４及び下側頂部トラス・リンク６３２を含んでもよい。各上側頂部トラス・リンク６１４の第１の端部は、脚部ブラケット６６８に枢動式に接続することができる。各上側頂部トラス・リンク６１４の第２の端部は、頂部中央ブラケット６０６に枢動式に接続することができる。中央ブラケット６０６は、複数箇所取り付けシステムの１つ又は複数の取り付け箇所を含んでもよい。各上側頂部トラス・リンク６１４はまた、各第１の頂部トラス・リンク６１４の第１の部分６１４ａ及び第２の部分６１４ｂが折り畳み可能となるように、頂部ジョイント６３８も含み得る。下側頂部トラス・リンク６３２の第１の端部は、トラス・ジョイント６３４において上側頂部トラス・リンク６１４に枢動式に接続することができる。下側頂部トラス・リンク６３２の第２の端部は、摺動ブラケット６６４のソケットに枢動式に接続することができる。摺動ブラケット６６４の各ソケットは、締結具を受け入れるためのハンドルを含んでもよい。
【００４６】
下側頂部トラス・リンク６３２は、対応する（例えば隣接する）上側頂部トラス・リンク６１４に、支持を提供することができる。上側頂部トラス・リンク６１４は、天蓋などの屋根構造（図示せず）を支持するための頂部を形成する。下側頂部トラス・リンク６３２及び／又は上側頂部トラス・リンク６１４は、剛性材料又は可撓性材料で作製することができる。トラス・リンクは、ドーム形状の屋根、角錐形状の屋根、又は他のタイプの屋根を形成することができる。
【００４７】
図６Ｂは、本開示の態様に係る、ドーム形状の屋根を有するシェルター６５０のフレームの実例を示す。シェルター６５０のフレームは、図６Ａのシェルター６００のフレームに類似している。簡潔にするために、図６Ａのシェルター６００の要素と同じである図６Ｂのシェルター６５０の要素については、詳細に検討しない。
【００４８】
図６Ｂに示すように、フレームは、複数の上側頂部トラス・リンク６５２と、下側頂部トラス・リンク６５４と、を含んでもよい。各上側頂部トラス・リンク６５２の第１の端部は、脚部ブラケット６０２に枢動式に接続することができる。脚部ブラケット６０２は、各ソケット上にハンドルを含んでもよい（図４Ａ〜４Ｂを参照）。各上側頂部トラス・リンク６５２の第２の端部は、ドーム中央ブラケット６５６に枢動式に接続することができる。各上側頂部トラス・リンク６５２はまた、各上側頂部トラス・リンク６５２の第１の部分６５２ａ及び第２の部分６５２ｂが折り畳み可能となるように、ジョイント６５８も含み得る。下側頂部トラス・リンク６５４の第１の端部は、ジョイント６６０において上側頂部リンク６５２に枢動式に接続することができる。下側頂部トラス・リンク６５４の第２の端部は、摺動ブラケット６６４のソケットに枢動式に接続することができる。
【００４９】
下側頂部トラス・リンク６５４は、対応する（例えば隣接する）上側頂部トラス・リンク６５２に、支持を提供することができる。上側頂部トラス・リンク６５２及び下側頂部トラス・リンク６５４は、天蓋などの屋根構造（図示せず）を支持するためのドームを形成する。下側頂部トラス・リンク６５４及び上側頂部トラス・リンク６５２は、可撓性材料であってもよい。例えば、下側頂部トラス・リンク６５４及び上側頂部トラス・リンク６５２は、複合繊維ロッドなどの可撓性のロッドであってもよい。この可撓性により、風への耐性が改善される。
【００５０】
実例として、キューブ・テント、ガゼボ、又は屋根を有する構造などのテント・シェルターを、シェルター６５０内に立設することができる。１つの構成では、テント・シェルターは立方体形状を有することができ、テント・シェルターの側面を脚部ブラケット６０２上の取り付け箇所に取り付けることができる。更に、構造の屋根及びドーム中央ブラケット６５６の取り付け箇所に、ストラップを取り付けることができる。次いでシェルター６５０のドームを、屋根布帛で覆うことができる。上側頂部トラス・リンク６５２の可撓性、並びにテント・シェルターの屋根とシェルター６５０のドームとの間の接続により、構造の風への耐性が改善される。テント・シェルターは複数箇所取り付けシステムを有する任意のタイプのシェルター内に立設することができるので、本開示の態様は、テント・シェルターを可撓性の頂部トラス・リンクを有するシェルター内に立設することに限定されない。
【００５１】
図７は、途中まで潰した状態のシェルターの実例を示す。図７に示すように、各脚部７０２には、リンク部材７０６の周縁トラス対を複数有する周縁トラス・リンク組立体７００が接続される。周縁トラス対の各々は、例えばはさみの構成で枢動式に１つに接続されている、第１のリンク部材７０８及び第２のリンク部材７１０を含む。第１のリンク部材７０８及び第２のリンク部材７１０は、内側端部７１２と外側端部７１４とを有する。各第１のリンク部材７０８の外側端部７１４は、脚部ブラケット７２０を介して脚部７０２の上側端部に接続され、各第２のリンク部材７１０の外側端部７１４は、脚部７０２に摺動可能に接続されるように、摺動する脚部ブラケット部材７１６に接続されている。内側端部７１２は、互いに枢動式に接続することができる。各脚部７０２は、中空の上側区域７２６と入れ子式に伸縮する下側区域７２８とを備えてもよく、下側区域は上側区域内に摺動可能に配設されており、下側区域は地面と係合するための足部区域７７０を有する。各脚部７０２の端部７２２は、脚部ブラケット７２０に接続される。
【００５２】
図８は、本開示の態様に係る側壁８００の実例を示す。図８に示すように、複数のストラップ８０２を、側壁８００の材料に縫着（例えば接続）することができる。更に、各ストラップ８０２には締結具８０４を接続することができる。１つの構成では、締結具８０４は、側壁の頂点部分に画定されたストラップ８０２に接続される。締結具８０４を使用して、側壁８００をブラケットのハンドルに接続することができる。本開示の態様は、ストラップ及び締結具を側壁に接続することに限定されず、ストラップ及び締結具はまた、テント、フラッグ、及び天蓋の屋根に沿って延在する内側の壁などの他の構造、情報シート、又は任意の他のタイプの構造若しくは表面の、材料に接続されてもよい。
【００５３】
本開示の態様によれば、コラプシブル・シェルターの一部分に取り付けられることになる材料上に、情報を提供することができる。本出願では、この材料は、情報シート、バナー、セイル・バナー、繊維品バナー、繊維品セイル、又は繊維品シートとも呼ばれる。１つの構成では、この材料は、頂部梁材、ジョイント、脚部、及び／又はシェルターの他の部分に取り付けられる。更に、この材料は、ブラケットのハンドルに取り付けることができる。ブラケットは、天蓋頂部組立体、ジョイント、脚部、及び／又はシェルターの他の部分に取り付けることができる。
【００５４】
本明細書で使用する場合、事物のリスト「のうちの少なくとも１つ」に言及する句は、単一の構成要素を含む、それらの事物の任意の組み合わせを指す。実例として、「ａ、ｂ、又はｃのうちの少なくとも１つ」は、以下を包含することが意図されている：ａ、ｂ、ｃ、ａ‐ｂ、ａ‐ｃ、ｂ‐ｃ、及びａ‐ｂ‐ｃ。
【００５５】
本明細書で開示する方法は、記載した方法を達成するための１つ又は複数のステップ又はアクションを含む。方法のステップ及び／又はアクションは、特許請求の範囲の範囲から逸脱することなく、互いに入れ替えることができる。言い換えれば、ステップ又はアクションの特定の順序が指定されていない限りは、特定のステップ及び／又はアクションの順序及び／又は使用は、特許請求の範囲の範囲から逸脱することなく修正することができる。
【００５６】
特許請求の範囲は、上で説明した厳密な構成及び構成要素に限定されないことが理解されるべきである。上記した方法及び装置の構成、動作、及び詳細を、特許請求の範囲の範囲から逸脱することなく、様々に修正、変更、及び改変することができる。
【図１Ａ】
2020514601.tif 000003
【図１Ｂ】
2020514601.tif 000004
【図２】
2020514601.tif 000005
【図３】
2020514601.tif 000006
【図４Ａ】
2020514601.tif 000007
【図４Ｂ】
2020514601.tif 000008
【図５Ａ】
2020514601.tif 000009
【図５Ｂ】
2020514601.tif 000010
【図６Ａ】
2020514601.tif 000011
【図６Ｂ】
2020514601.tif 000012
【図７】
2020514601.tif 000013
【図８】
2020514601.tif 000014
【国際調査報告】
2020514601.tif 000015